(57)【特許請求の範囲】
【請求項１】
水路（Ａ）に設置したスクリーン（１）を地上（Ｂ）に引上げ可能としたスクリーンにおいて、上記スクリーン（１）を数段に分割し、上側のスクリーン（１ａ）の両端部に案内枠（１６、１６）を設け、水路（Ａ）の両側壁下方にガイドレール（１３、１３）を配設し、このガイドレール（１３）に下部スクリーン（１ｂ）の両端に軸支した複数のローラー（１２…）を転接させ、下部スクリーン（１ｂ）のローラー（１２…）を上側のスクリーン（１ａ）の案内枠（１６、１６）に摺動自在に遊嵌し、数段のスクリーン（１ａ、１ｂ…）を水路（Ａ）に上下に並設して設置すると共に、下端のスクリーン（１ｂ）の適所に巻き上げ装置（２）のワイヤーロープ（７）を止着して、このワイヤーロープ（７）を巻き上げて複数段のスクリーン（１ａ、１ｂ…）を重設し、上部スクリーン（１ａ）の上端部に軸支した回転軸（１０）を基点として、複数段のスクリーン（１ａ、１ｂ…）を水路（Ａ）上に引上げ可能としたことを特徴とするスライド引上げ式スクリーン。
【発明の詳細な説明】
【０００１】
【発明の属する技術分野】
この発明は、灌漑用や排水用の水路に設置するスクリーンに関し、特に、地上への引上げ装置を有するスクリーンに関する。
【０００２】
【従来の技術】
従来、灌漑用や排水用の水路にスクリーンを設置して、不用時に巻き上げ装置で地上に引上げるスクリーンは、例えば、実公平４−３４１９２号公報の図面に図示してあるようによく知られている。また、水路に設置したスクリーンに伸縮可能なレーキを設けたスクリーンも、例えば、特開平７−１８５５１７号公報に記載してあるように公知である。
【０００３】
【発明が解決しょうとする課題】
従来の巻き上げ装置を設けたスクリーンは、水路から引上げて錆等の発生を抑制して設備の長寿命化が測れるものであるが、流入路に屈曲部が多く暗渠とした水路や、敷地面積が狭い場所では暗渠の開口を充分に取れずスクリーンを設置することが困難であった。また、スクリーンに伸縮可能なレーキを設けたスクリーンは、水路の地上での開口面積が狭くて済むものであるが、スクリーンを水路に固定してあるために錆等の発生の問題があった。また、暗渠となっている水路の清掃などの邪魔となっていた。この発明は上記従来の欠点を解消するもので、スクリーンが水路から引上げられ、狭い暗渠の開口部でも使用が可能なスライド引上げ式スクリーンを提供する。
【０００４】
【課題を解決するための手段】
上記目的を達成するために、流入水路に設置したスクリーンを水路上に引上げ可能としたスクリーンにおいて、上記スクリーンを数段に分割し、上側のスクリーンの両端部に案内枠を設け、この案内枠に下側のスクリーンの両端部を摺動自在に遊嵌し、数段のスクリーンを流入水路に上下に並設して設置すると共に、下端のスクリーンの適所に巻き上げ装置のワイヤーロープを止着して、このワイヤーロープを巻き上げて数段のスクリーンを重設し、上部スクリーンの上端部に軸支した回転軸を基点として、数段のスクリーンを水路上に引上げ可能としたものである。そして、数段のスクリーンを重設させる装置は、流入路の両側壁下方にガイドレールを配設し、このガイドレールに下部スクリーンの両端に軸支した複数のローラーを転接させると共に、下部スクリーンのローラーを上側のスクリーンの案内枠に摺動自在に遊嵌し、巻き上げ装置でワイヤーロープを巻き上げて下側のスクリーンを上側のスクリーンに重設させるものである。
【０００５】
【発明の実施の形態】
この発明に係るスライド引上げ式スクリーンは上記のように構成してあり、水路上に引上げられたスクリーンを巻き上げ装置のワイヤーロープを巻き戻せば、重設したスクリーンが回動して垂設し、更にワイヤーロープを伸ばせば水路にスクリーンが降下され、流入してきた塵芥などをスクリーンで捕捉して、分離水を流下させることができる。そして、巻き上げ機でワイヤーロープを巻き上げれば、複数段に連設した下部スクリーンがワイヤーロープに引っ張られ、上方のスクリーンの案内枠に下方のスクリーンが摺動しながら上昇し、上段のスクリーンに重設されてスクリーンが短くなり、ワイヤーロープを巻き上げれば、支持軸を中心に回動して地上に引上げられる。
【０００６】
【実施例】
この発明の実施例を図面に基づき詳述すると、まず、図１は水路に設置したスクリーンの正面図であって、上部スクリーン１ａと下部スクリーン１ｂとからなるスクリーン１が上下に並設して水路Ａに設置してある。符号２はスクリーン１の巻き上げ装置であって、地上Ｂの操作架台３に載置した駆動機４の駆動軸５に一対の巻取りドラム６、６が嵌着してあり、この巻取りドラム６に止着したワイヤーロープ７が一対の案内プーリー８、８にそれぞれ掛け回わしてある。図２に示すように、案内プーリー８に掛け回したワイヤーロープ７の一端を、下部スクリーン１ｂの下端に嵌着した支持バー９の両側に連結してある。
【０００７】
上部スクリーン１ａの上端部に水平状の回転軸１０、１０が嵌着してあり、この回転軸１０が地上Ｂの軸受１１に軸支されて、上部スクリーン１ａが回転軸１０を基点として回動可能に配設してある。また、下部スクリーン１ｂの幅を上部スクリーン１ａの幅より狭くして、下部スクリーン１ｂの両端部に複数のローラー１２…が軸支してあり、この複数のローラー１２…を水路Ａの下方の両側壁に上流方向に傾斜させて設けたガイドレール１３、１３に転接してある。そして、巻取りドラム６に止着したワイヤーロープ７を巻き上げると、下部スクリーン１ｂがワイヤーロープ７に牽引されて、ローラー１２がガイドレール１３に転接しながら下部スクリーン１ｂをガイドレール１３に沿って上昇させる。
【０００８】
図３はスクリーンを地上に引上げた水路の側壁構造であって、下方のガイドレール１３と上方の受け板１４は、水路Ａの側壁に植設した多数の支持ピン１５…に支架されて水路Ａの両側壁に流入側に傾斜させて配設してある。ガイドレール１３と受け板１４は段差が設けてあり、ガイドレール１３を水路Ａの上流側に若干突設してある。図２に示すように、上部スクリーン１ａの両端部には水路Ａの上流側に案内枠１６が嵌着してあり、上部スクリーン１ａと下部スクリーン１ｂを水路Ａに設置した時に、上部スクリーン１ａに嵌着した案内枠１６と下部スクリーン１ｂが水平状となるようにしてある。
【０００９】
図４は下部スクリーンを上部スクリーンに重設した状態を示すもので、ワイヤーロープ７を牽引してガイドレール１３に沿って上昇させる下部スクリーン１ｂは、ローラー１２がガイドレール１３に転動しながら上部スクリーン１ａの案内枠１６に挿入され、ローラー１２を案内枠１６に沿って転動させて下部スクリーン１ｂを上部スクリーン１ａの上流側の表面に摺接しながら上昇させて、下部スクリーンを上部スクリーンに重設して、スクリーン１の長さが短縮される。なお、水路Ａに張設するスクリーン１を３、４段に分割して、下側のスクリーンを上側のスクリーンの案内枠に挿入することも可能であり、スクリーン１を複数段に分割すれば、さらにスクリーン１を短く重設できるものである。
【００１０】
図５は下部スクリーンを上部スクリーンに重設して吊上げた状態を示すもので、下部スクリーン１ｂを上部スクリーン１ａに重設したスクリーン１を、引続きワイヤーロープ７で牽引すると、上部スクリーン１ａの上端部を枢支した回転軸１０を中心として、上部スクリーン１ａを載置した下部スクリーン１ｂの下端が案内枠１６とともに持ち上げられる。図３に示すように、晴天時にはスクリーン１は不用となり、水路Ａから地上Ｂに引上げられば錆の発生を抑制して、設備の長寿命化が図れる。流入路に屈曲部が多く暗渠とした水路でも、スクリーンの長さが短縮されて、暗渠の開口を充分に取れない敷地面積が狭い場所でもスクリーンを設置することができる。また、スクリーン１を短く重設して地上に引上げるので、巻き上げ機の容量も小さくなるものである。なお、符号１７は、スクリーン１で捕捉して掻き取ったし渣の貯留用のコンテナである。
【００１１】
【発明の効果】
この発明は、上記のように構成してあり、ワイヤーロープを牽引すれば、数段のスクリーンが重設されてスクリーンの長さが短縮され、地上に引上げることができる。即ち、従来の巻き上げ装置を設けたスクリーンにあっては、敷地面積が狭い場所では暗渠の開口を充分に取れずスクリーンを設置することが困難であった。また、従来のレーキを設けたスクリーンは、水路に固定したスクリーンの海水等による錆の問題があったものであるが、この発明にあっては、数段に分割した上側のスクリーンの両端部に案内枠を設け、この案内枠に下側のスクリーンの両端部を摺動自在に遊嵌し、下部スクリーンの適所に巻き上げ装置のワイヤーロープを止着して、このワイヤーロープを巻き上げて数段のスクリーンを重設して水路上に引上げ可能としたもので引上げ時のスクリーンの長さが短縮できるので、敷地面積の狭い場所でもスクリーンが設置でき、錆の発生を抑制して設備の長寿命化が図れる。そして、下部スクリーンのローラーを上側のスクリーンの案内枠に摺動自在に遊嵌し、巻き上げ装置でワイヤーロープを巻き上げて下側のスクリーンを上側のスクリーンに重設させるので、水路の開口面積が縮小でき、巻き上げ機の容量も小さくなるものである。
【図面の簡単な説明】
【図１】この発明に係る水路に設置したスライド引上げ式スクリーンの正面図である。
【図２】同じく、スライド引上げ式スクリーンの横断面図である。
【図３】同じく、スクリーンを降下させる水路の側壁構造の横断面図である。
【図４】同じく、下部スクリーンを上部スクリーンに重設したスクリーンの横断面図である。
【図５】同じく、重設して吊上げたスクリーンの横断面図である。
【符号の説明】
１、１ａ、１ｂ  スクリーン
２  巻き上げ装置
７  ワイヤーロープ
１０  回転軸
１２  ローラー
１３  ガイドレール
１６  案内枠
Ａ  水路
Ｂ  地上
【図１】
0003864787.tif 000002
【図２】
0003864787.tif 000003
【図３】
0003864787.tif 000004
【図４】
0003864787.tif 000005
【図５】
0003864787.tif 000006